(57)【要約】【課題】    簡単な構成で、建築物等の床、壁、天井等に適し、より簡易に安価に合成できる小幅板組合せパネルを提供する。【解決手段】  小幅板の表面２を平坦面とし、裏面に係合用凹凸部３，４を設けた第１小幅板１と、同じく小幅板の表面１２を平坦面とし、裏面に係合用凹凸部１３，１４を設けた第２小幅板１１と、からなり、上記第１又は第２の何れか一方の複数の小幅板１，１１を平行に間隔を置いて配置し、上記第１又は第２の何れか他方の複数の小幅板１１，１をそれぞれ裏面の係合用凹凸部３，１３，４，１４を上記何れか一方の小幅板の係合用凹凸部３，１３，４，１４に係合させ、この係合を楔２０を用いて楔作用により結合し、複数の小幅板を平行に接して並べて構成してある。【選択図】    図１
2005279988.tif 000002
【特許請求の範囲】
【請求項１】
小幅板の表面を平坦面とし、裏面に係合用凹凸部を設けた第１小幅板と、
同じく小幅板の表面を平坦面とし、裏面に係合用凹凸部を設けた第２小幅板と、
からなり、
上記第１又は第２の何れか一方の複数の小幅板を平行に間隔を置いて配置し、
上記第１又は第２の何れか他方の複数の小幅板をそれぞれ裏面の係合用凹凸部を上記何れか一方の小幅板の係合用凹凸部に係合させ、この係合を楔を用いて楔作用により結合し、複数の小幅板を平行に接して並べて構成してある小幅板組合せパネル。
【請求項２】
小幅板の表面を平坦面とし、裏面に小幅板の長手方向に交互に連続する凹凸部を設け、各凹凸部を形成する片側壁に係止凹部を形成した第１小幅板と、
小幅板の表面を平坦面とし、裏面に小幅板の長手方向に沿う方向の凹凸部を設け、凸部側の側壁に係止凹部を形成し、その下縁に係止凸部を設け、凹部側側壁の下縁に係止凸条を設けた第２小幅板と、
からなり、
上記第１又は第２の何れか一方の複数の小幅板を平行に間隔を置いて配置し、
上記第１又は第２の何れか他方の複数の小幅板をそれぞれ裏面の係合用凹凸部を上記何れか一方の小幅板の係合用凹凸部に係合させ、この係合を楔を用いて楔作用により結合し、複数の小幅板を平行に接して並べて構成してある小幅板組合せパネル。
【請求項３】
上記第１又は第２の何れか一方の複数の小幅板を建築構造物の取り付け部材に平行に間隔を置いて配置取り付けてある上記請求項１又２に記載の小幅板組合せパネル。
【請求項４】
上記取り付け部材が大引き、根太である上記請求項３に記載の建築用床用の小幅板組合せパネル。
【請求項５】
上記取り付け部材が間柱である上記請求項３に記載の建築用壁用の小幅板組合せパネル。
【請求項６】
上記取り付け部材が野縁である上記請求項３に記載の建築用天井用の小幅板組合せパネル。
【発明の詳細な説明】
【技術分野】
【０００１】
本発明は、有害物質を含まない、例えば住宅建築の床、壁、天井等に有効活用できる小幅板組合せパネルに関する。
【背景技術】
【０００２】
山の森林はダムの役割をしている。そこで山が荒れると水源維持ができなくなる。即ち、山林は人手をかけて管理しないと、風圧、積雪によって倒木に至り、有効に保存されない。特に人工林は、間伐、下草刈、枝打（年間６〜７回）の手間をかけないと有効に保存されない。ところが、現状では山林を皆伐し、山出しを行っても、人件費もでないから人手をかけて管理していない山林が多い。そこで、国がとりあえず山を守るため、皆伐の予算を出して木を切っている。しかし現状ではこの皆伐材、間伐材が使用されることなく無駄になっている。  
【０００３】
一方、近年では日本の木材需要は、地球環境を破壊しながら輸入材に依存している。林野庁の集計では、国産材の自給率は平均２０％を切る状態である。
わが国でも地球環境のため、森林保全のため、皆伐、間伐を行い、資源の無駄使いが行われている。
建築循環資材としての木材は、３０年、５０年、１００年経たないと使えないので、本来大事に使わなければならないはずである。
国産材の振興を図り、決して無駄にすることなく、森林資源の木材を住宅建築に有効に活用すること、そして、人工林と自然林のバランスを取りつつ、地球環境を維持することが、求められている。
【０００４】
そこで、フリーサイズ、フリー形状、フリー断面の無垢木材パネル（合成単体材）は、厚さ、形状、面積の制約を受けず、無垢木材パネルの組立てが可能であり、ホルムアルデヒド等の有害物質を含まない、地球環境、地域環境、住人に負荷をかけないエコロジー建築に必要な無垢フリーサイズパネルの開発が求められており、既に提案されている（例えば特許文献１）。
【特許文献１】特表２００２−５２０１９８号公報
【０００５】
上記無垢フリーサイズパネルは、地域木材使用、輸送コスト削減、ＣＯ２排出量の低減ができ、断熱、調湿、吸音、遮音効果に優れ、省エネルギーが図れ、製造、輸送、廃棄、人工材料等取り換え等による環境負荷の低減も図れる。
しかも、葉干し乾燥した木材を柾目板状に製材し野積み乾燥後、含水率１５％程度の板材を加工することが板の反り狂いを押え、強度の増した良質の部材提供が可能であり、部材の標準化と建築の生産管理、品質管理、在庫管理も可能となり好ましい。
さらに、人に対して安全、健康、癒し、やすらぎの付加価値を提供し、建物の価値評価を増すことができる。
即ち、このフリーサイズパネルを使用した木造壁式構造は、耐震的な建物を容易に造ることができ、部屋を構成している間仕切壁、天井、２階床板部分を容易に変えることができ、家族構成、ライフスタイルの変化に容易に対応できる。
また、このフリーサイズパネルは軸組構造、木質壁式構造、パネル工法、鉄骨ＲＣ造り建物にも使用可能であり付加価値効果大である。
【発明の開示】
【発明が解決しようとする課題】
【０００６】
上記特許文献１の先行例は、上記した通り、人的環境、地球環境にきわめて好ましい。
本発明は、この公知の無垢木材合成パネルより簡単な構成で、建築物等の床、壁、天井等に適し、より簡易に安価に合成できる小幅板組合せパネルを提供する。
【課題を解決するための手段】
【０００７】
そのために、本発明小幅板組合せパネルは、小幅板の表面を平坦面とし、裏面に係合用凹凸部を設けた第１小幅板と、同じく小幅板の表面を平坦面とし、裏面に係合用凹凸部を設けた第２小幅板と、からなり、上記第１又は第２の何れか一方の複数の小幅板を平行に間隔を置いて配置し、上記第１又は第２の何れか他方の複数の小幅板をそれぞれ裏面の係合用凹凸部を上記何れか一方の小幅板の係合用凹凸部に係合させ、この係合を楔を用いて楔作用により結合し、複数の小幅板を平行に接して並べて構成してある。
【０００８】
また、本発明小幅板組合せパネルは、小幅板の表面を平坦面とし、裏面に小幅板の長手方向に交互に連続する凹凸部を設け、各凹凸部を形成する片側壁に係止凹部を形成した第１小幅板と、小幅板の表面を平坦面とし、裏面に小幅板の長手方向に沿う方向の凹凸部を設け、凸部側の側壁に係止凹部を形成し、その下縁に係止凸部を設け、凹部側側壁の下縁に係止凸条を設けた第２小幅板と、からなり、上記第１又は第２の何れか一方の複数の小幅板を平行に間隔を置いて配置し、上記第１又は第２の何れか他方の複数の小幅板をそれぞれ裏面の係合用凹凸部を上記何れか一方の小幅板の係合用凹凸部に係合させ、この係合を楔を用いて楔作用により結合し、複数の小幅板を平行に接して並べて構成してある。
【０００９】
さらに、本発明小幅板組合せパネルは、上記第１又は第２の何れか一方の複数の小幅板を建築構造物の取り付け部材に平行に間隔を置いて配置取り付けてある。
また、本発明小幅板組合せパネルは、上記取り付け部材が大引き、根太である。
さらに、本発明小幅板組合せパネルは、上記取り付け部材が間柱である。
そして、本発明小幅板組合せパネルは、上記取り付け部材が野縁である。
【発明の効果】
【００１０】
本発明小幅板組合せパネルは、小幅板の表面を平坦面とし、裏面に係合用凹凸部を設けた第１小幅板と、同じく小幅板の表面を平坦面とし、裏面に係合用凹凸部を設けた第２小幅板と、からなり、上記第１又は第２の何れか一方の複数の小幅板を平行に間隔を置いて配置し、上記第１又は第２の何れか他方の複数の小幅板をそれぞれ裏面の係合用凹凸部を上記何れか一方の小幅板の係合用凹凸部に係合させ、この係合を楔を用いて楔作用により結合し、複数の小幅板を平行に接して並べて構成してあるから、釘等使用することなく、より簡単な構成で簡易に安価に合成できる小幅板組合せパネルを提供でき、建築物等の床、壁、天井等を有害物質を含まない天然木材で安価に提供できる効果がある。
【００１１】
また、本発明小幅板組合せパネルは、小幅板の表面を平坦面とし、裏面に小幅板の長手方向に交互に連続する凹凸部を設け、各凹凸部を形成する片側壁に係止凹部を形成した第１小幅板と、小幅板の表面を平坦面とし、裏面に小幅板の長手方向に沿う方向の凹凸部を設け、凸部側の側壁に係止凹部を形成し、その下縁に係止凸部を設け、凹部側側壁の下縁に係止凸条を設けた第２小幅板と、からなり、上記第１又は第２の何れか一方の複数の小幅板を平行に間隔を置いて配置し、上記第１又は第２の何れか他方の複数の小幅板をそれぞれ裏面の係合用凹凸部を上記何れか一方の小幅板の係合用凹凸部に係合させ、この係合を楔を用いて楔作用により結合し、複数の小幅板を平行に接して並べて構成してあるから、同じく、より簡単な構成で簡易に安価に合成できる小幅板組合せパネルを提供でき、建築物等の床、壁、天井等を有害物質を含まない天然木材で安価に提供できる効果がある。
【００１２】
さらに、本発明小幅板組合せパネルは、上記第１又は第２の何れか一方の複数の小幅板を建築構造物の取り付け部材に平行に間隔を置いて配置し取り付けてあるから、本発明小幅板組合せパネルを建築構造物の取り付け部材に間単に取り付けることができる効果がある。
また、本発明小幅板組合せパネルは、上記取り付け部材が大引き、根太であるから、床材を間単に取り付けることができる効果がある。
さらに、本発明小幅板組合せパネルは、上記取り付け部材が間柱であるから、壁材を簡単に取り付けることができる効果がある。
そして、本発明小幅板組合せパネルは、上記取り付け部材が野縁であるから、天井を簡単に取り付けることができる効果がある。
【発明を実施するための最良の形態】
【００１３】
本発明の無垢木材組合せパネルの詳細について、以下に示す好ましいいくつかの実施例により説明する。
【実施例１】
【００１４】
図１乃至図４に基本的な本発明の無垢木材組合せパネルを床材として使用した実施例を示してある。本発明の無垢木材組合せパネルは他にも壁材又は天井材として組合せ構成することができる。床材として組合せ構成するには、大引き、根太上に組み込むがこの大引き、根太に変えて間柱又は野縁にすればよく、本発明では、この大引き、根太、間柱並びに野縁等を請求項３において建築構造物の取り付け部材として表現した。
図中符号１が第１小幅板で、表面２を平坦面としてあり、裏面に小幅板１の長手方向に交互に連続する凹部３及び凸部４を小幅板１の幅一杯に形成して設けてある。これら凹凸部３，４は小幅板１の長手方向に連続してあるから、それぞれ凹部３と凸部４とで一組が形成され、各組の凹凸部３，４の凹部３と凸部４との境界壁６と反対側の片側壁５の下部に係止凹部７を形成してある。
図示した実施例では、この第１小幅板１をその平坦な表面２を下面にして、これを建築構造物の土台８上に複数間隔を置いて平行に配置した大引き、根太９上に同じく間隔を置いて平行に配置して釘１０打ちにより取り付けてある（図４図示）。
【００１５】
次に、図中符号１１が第２小幅板で、表面１２を平坦面としてあり、裏面に小幅板の長手方向に沿う方向の凹部１３と凸部１４を設け、凸部１４側の側壁１５の下部に小幅板の長手方向に沿う係止凹溝１６を形成し、その下縁に同じく小幅板の長手方向に沿う係止凸条１７を設け、凹部１３側の側壁１８の下縁に同じく小幅板の長手方向に沿う係止凸条１９を設けてある。
これら係止凹溝１６、係止凸条１７及び係止凸条１９は、通常の雌雄の実と同様に通常の凹溝又は凸条でもよいが、その断面形状を先ぼそりのテーパー形状に形成してもよい。
上記第１小幅板の裏面の係止凹部７を含む凹凸部３，４の小幅板の長手方向の寸法と第２小幅板１１の裏面の係止凸条１９を含む幅寸法とを略同一寸法としてあり、第１小幅板の裏面の凹部３の小幅板の長手方向の寸法を第２小幅板１１の裏面の凸部１４の幅寸法より大きくしてある。
【００１６】
これら第１小幅板１及び第２小幅板１１により無垢木材組合せパネルを組合せ構成するには次の通りである。
先ず、第１小幅板１をその平坦面２を下面とし凹凸部３，４を上面として建築構造物の土台８上の根太９上に載せてこれを釘打ち１０して固定する。そして複数の第１小幅板１を上記釘打ち１０して固定した第１小幅板１に平行して、それぞれの凹凸部３，４の位置が一致するよう揃えて隣なれる根太９上に載置して同じく釘打ち１０して固定する。
【００１７】
次いで、複数の第２小幅板１１をそれぞれ表面１２を上にし、裏面の凹部１３、凸部１４を下向きにして平行に配列し、この第２小幅板１１を第１小幅板１に対して直角に指向し、各第２小幅板１１の裏面の凸部１４を平行して配列した第１小幅板１の凹部３中に嵌入する。そして、第２小幅板１１の凸部側側壁１５の下縁に設けた係止凸条１７を第１小幅板１の凹部３に形成した係止凹部７中に第２小幅板１１をスライドさせて係入する。次いで、隣れる第２小幅板１１を、その凸部１４を第１小幅板１の隣りの凹部３中に嵌入し、同様にスライドさせて係止凸条１７を係止凹部７中に係入する。このようにして複数の第２小幅板１１を順次第１小幅板１に嵌入して、平行に接して配置することができる（図３図示）。
この際、第１小幅板１の凹部３の寸法を第２小幅板１１の凸部１４の幅寸法より大きくしてあるから、凹部３と凹部１３との重なりにより空所が形成され、この空所に楔２０を打ち込んで第１小幅板１と第２小幅板１１との結合を強固なものとし、結合強度の大きい無垢木材組合せパネルとなし、図示実施例では床材となしたものである。
【実施例２】
【００１８】
図５に第２小幅板１１の形状を僅かに変えた好ましい実施例を示してある。この図５中図１乃至図４と同一符号を付した部材及び部分は同一部材及び部分である。この図５に示した実施例の特徴は、この第２小幅板１１の凸部１４側の側壁１５に、その下部に小幅板の長手方向に沿う係止凹溝１６とは別の係止凹溝２１を係止凹溝１６より上方に形成してあるとともに反対側の側壁１８即ち凹部１３側の側壁１８に上記係止凹溝２１と対応する係止凸条２２を設け、隣り合う第２小幅板１１の係止凸条２２と係止凹溝２１が嵌合し、隣り同士の第２小幅板１１同士の結合強度を高めたもの、断面二次モーメントが大きくなることにより組み合わせパネルの撓みが小さくなる効果がある。
【実施例３】
【００１９】
図６に第１小幅板１の形状を僅かに変えた実施例を示してある。図１乃至図４に示した実施例１及び図５に示した実施例２は、第１小幅板１の凹部３の境界壁６を第１小幅板１の側壁に直交して形成し、楔２０を一対の対抗面を傾斜させて構成した楔部材を反対方向に摺動させることにより楔作用を発揮するようにしてあるが、図６に示した実施例３は第１小幅板１の凹部３の境界壁６を第１小幅板１の側壁に対して直交させることなく傾けて設けてあり、楔２０に片側面を僅かに傾けて設けた一本の楔部材を使用したものである。
【実施例４】
【００２０】
図７に第１小幅板１の形状を変えた実施例を示してある。この図７中図１乃至図４と同一符号を付した部材及び部分は同一部材及び部分である。この図７に示した実施例の特徴は、第１小幅板１の凹部３を第１小幅板１の側壁に対して４５度傾斜させて形成したものである。即ちこの凹部３を小幅板１の側壁に対して４５度傾斜させたことにより、第２小幅板１１を第１小幅板１に対して４５度傾けて敷設することができる。
【実施例５】
【００２１】
図８に第１小幅板１と第２小幅板１１とを逆に配置した実施例を示してある。図１乃至図４に示した符号と同一符号を付した部材及び部分は同一部材及び部分である。この実施例では複数の第２小幅板１１を根太９上に平行に載置して固定し、これら複数の第２小幅板１１間上に複数の第１小幅板１を隣り同士接触させて架設し、床材を敷設したものである。
【図面の簡単な説明】
【００２２】
【図１】本発明の基本的な無垢木材組合せパネルを床材として使用した実施例の分解斜面図である。
【図２】図１図示の無垢木材組合せパネルの実施例の要部の正面図で一部を断面で示してある。
【図３】同じく側面図で一部を断面で示してある。
【図４】同じく平面図である。
【図５】本発明の無垢木材組合せパネルの別の実施例の側面図で一部を断面で示してある。
【図６】さらに別の実施例の斜面図である。
【図７】また、さらに別の実施例の斜面図である。
【図８】そして、さらに別の実施例の側面図で一部を断面で示してある。
【符号の説明】
【００２３】
１  第１小幅板
２，１２  表面
３，１３  凹部
４，１４  凸部
５  片側壁
６  境界壁
７  係止凹部
８  土台
９  根太
１０  釘
１１  第２小幅板
１２  表面
１５, １８  側壁
１６，２１  係止凹溝
１７，１９，２２  係止凸条
２０  楔
【図１】
2005279988.tif 000003
【図２】
2005279988.tif 000004
【図３】
2005279988.tif 000005
【図４】
2005279988.tif 000006
【図５】
2005279988.tif 000007
【図６】
2005279988.tif 000008
【図７】
2005279988.tif 000009
【図８】
2005279988.tif 000010